(57)【要約】本発明は、取り外し式の外装材要素（１８）を受ける縦方向の平面で、かつ最上面（１６）に位置する、本体（１２）を有する型式の電子装置（１０）を提案し、かかる本体（１２）は、本体の少なくとも１つの別の面に成された開口部（２８）で開いて、特にバッテリーを受ける穴（２４）を有し、該開口部（２８）を閉じる取り外し式カバー（３２）を有する型式であり、本体（１２）の取り付けた位置で外装材要素（１８）およびカバー（３２）を係止するための共通要素を有する。
2005506764.tif 000002
【特許請求の範囲】
【請求項１】
取り外し式の外装材要素を受ける縦方向の平面で、かつ最上面に位置する、本体を有する型式の電子装置であって、該本体は、該本体の少なくとも１つの別の面に成された開口部で開いて、特にバッテリーなどの構成部分を受ける穴を有し、該開口部を閉じる取り外し式カバーを有する型式であり、該本体の取り付けた位置で前記外装材要素および前記カバーを係止するための共通要素を有することを特徴とする電子装置。
【請求項２】
係止要素は、前記カバーおよび前記外装材要素が本体から分離できる係止を外した位置と、前記カバーおよび前記外装材要素が本体に係止された係止位置との間の縦方向の平面に対して実質的に平行な方向で、前記本体に関して移動できるように取り付けられたことを特徴とする請求項１に記載の電子装置。
【請求項３】
前記係止要素は、前記カバーの一部分であることを特徴とする請求項１または２のいずれかに記載の電子装置。
【請求項４】
前記係止要素は、前記本体に前記カバーおよび外装材要素を相補的な形状の協働によって係止するための手段を有することを特徴とする請求項３に記載の電子装置。
【請求項５】
前記係止手段は、少なくとも１つの弾力的で変形可能な要素を有することを特徴とする請求項４に記載の電子装置。
【請求項６】
前記カバーは、前記本体に対して前記カバーを係止するための第一の固定手段および前記外装材要素を係止するための第二の固定手段を有し、前記外装材要素は、前記本体の取り付け位置での位置決め手段を有することを特徴とする請求項５に記載の電子装置。
【請求項７】
前記カバーによって閉じられた前記開口部は、前記本体の正面の縦方向の端部で少なくとも部分的に成され、前記カバーは、縦方向の平面で実質的に延在する最上部と、前記外装材要素の第二固定手段を受ける後部の縦方向の端部と、前記本体上に固定する第一手段を受ける前記開口部を閉じる前記カバーの底部に接続される前記正面の縦方向の端部とを有することを特徴とする請求項６に記載の電子装置。
【請求項８】
前記カバーは、実質的に縦方向で前記本体に関して移動できるように取り付けられたことを特徴とする請求項７に記載の電子装置。
【発明の詳細な説明】
【技術分野】
【０００１】
本発明は、取り外し式の正面要素を有する電子装置に関する。
【０００２】
本発明は、より詳細には、取り外し式の外装材要素を受ける水平な平面で、かつ最上面に位置する本体を有する型式の電子装置を提案する。かかる本体は、本体の少なくとも１つの別の面に成された開口部で開いて、特にバッテリーを受ける穴を有し、該開口部を閉じる取り外し式カバーを有する型式である。
【背景技術】
【０００３】
ＧＳＭ移動電話機などの型式の多数の装置が存在する。
【０００４】
移動電話機のユーザは、装置の正面の損傷、または装置の審美的な外観、一般に“改造”と呼ばれる操作のために、装置の正面要素の取り換えを望むかもしれない。
【０００５】
周知のように、装置の本体に外装材を結合することは、本体の相補的な中空形状の外装材要素の一部上のホックノーズ（nose  of  a  hook）の弾力性の嵌合か、または取り付けから成る。
【０００６】
本体と外装材要素の結合は簡素であり操作を簡単にするが、この解決は、特に損傷の危険を伴わずに、外装材要素の容易な取り外しを可能にしない。
【０００７】
別の解決策は、外装材要素を固定するための追加的な固定部品の使用からなる。審美的な理由において、前述の固定部品は装置の内部からアクセス可能とされる。次いで、前述の固定部品のアクセスを可能にし、最終的に外装材要素の取り外しを可能にするために、バッテリーの位置へのアクセスを可能にするカバーなどの別の要素を取り外す必要がある。
【０００８】
一般的に、前述の固定部品は脆弱であり、外装材要素を取り外すために注意深く扱う必要がある。
【０００９】
前述の操作が、外装材要素の取り換え操作を厄介にすることは容易に理解できるであろう。
【発明の開示】
【発明が解決しようとする課題】
【００１０】
上述の問題の解決策を提供するために、本発明は、さらに簡素でいずれの部品の破損の危険性をも有しない外装材要素の取り付け、かつ取り外しを可能にする、本体に対する外装材要素の固定手段を有する電子装置を提案する。
【課題を解決するための手段】
【００１１】
したがって、本発明は、上述した型式の電子装置を提案し、外装材要素を係止するための共通要素と、本体の取り付けられた位置のカバーとを有することを特徴とする。
【００１２】
本発明の別の特長によると、
−係止要素は、カバーと外装材要素が本体から分離できる係止を外した位置と、カバーと外装材要素が本体に係止された係止位置との間の縦方向の平面に対して実質的に平行な方向で、本体に関して移動できるように取り付けられて、
−係止要素はカバーの一部分であり、
−係止要素は、本体にカバーと外装材要素を相補的な形状の協働によって係止するための要素を有し、
−係止要素は、少なくとも１つの弾力的で変形可能な要素を有し、
−カバーは、本体に対してカバーを係止するための第一の固定手段および外装材要素を係止するための第二の固定手段を有し、外装材要素は、本体の取り付け位置での位置決め手段を有し、
−カバーによって閉じられた開口部は、本体の正面の縦方向の端部で少なくとも部分的に成され、カバーは、縦方向の平面で実質的に延在する最上部と、外装材要素を係止する第二手段を受ける後部の縦方向の端部と、本体上の係止の第一手段を受ける開口部を閉じるキャップの底部に接続される正面の縦方向の端部とを有し、
−カバーは、実質的に縦方向で本体に関して移動できるように取り付けられる。
【００１３】
本発明は、添付図に示される実施態様の例を参照してさらに記載されるが、これらに限定されない。
【発明を実施するための最良の形態】
【００１４】
本発明の記載において、垂直の方位、縦の方位、および横の方位は、図１に提示される参照フレームＶ、Ｌ、Ｔにしたがって制限されないで採用される。
【００１５】
下記の記載において、同一の要素、同様の要素あるいは類似の要素は同一の参照番号によって示されるだろう。
【００１６】
図１および２は、例えば、ＧＳＭ型式の移動電話機であってよい、電子装置１０を描写する。
【００１７】
電子装置１０は、実質的に縦方向の平面に位置する、本体１２を有する。本体１２は、電子装置１０のすべての電子構成部分１２を受ける。本体１２の最上面１６は、特に、正面または外装材要素１８を受ける。
【００１８】
外装材要素１８は、本体１２の最上面１６のすべてをカバーし、本体１２の最上面１６の面する部分で支える垂直の側壁２０を有する、縦方向のハーフシェルの形状である。この外装材要素１８は、数のキーパッドのキー２２受けることができる。
【００１９】
外装材要素１８は、ユーザが所望によって別の外装材との取り換え可能な取り外し式である。
【００２０】
本体１２はまた、本体の底部に成された穴２４を有する。前述の穴２４は、例えば、バッテリー（示されていない）などの構成部分を受ける。
【００２１】
バッテリーは、交換されるため、または他の電子構成部分１４へのアクセスを獲得することを可能にするために取り外し式であってよい。本体１２を完全に分解することを必要とせずにバッテリーの取り外しを可能にするために、穴２４は、本体１２の正面を横断する面３０（図３に示される）で部分的に成された開口部２８で開く。
【００２２】
電子装置１０は、開口部２８を閉じるカバー３２を有する。このカバー３２は取り外し式であり、電子装置１０の外観のパーソナル化に関係する。
【００２３】
外装材要素１８およびカバー３２の取り付けおよび取り外しを容易にするために、電子装置１０は、本体１２の取り付け位置で外装材要素とカバーの２つの要素を係止するための共通要素３２を有する。
【００２４】
係止要素３２は、特にここでは縦方向である、縦方向の面に対して実質的に平行な方向で本体１２に関して移動可能である。係止要素３２は、外装材要素１８とカバー３２が本体１２に係止される図１および４に例示される係止された後部位置と、外装材要素１８とカバー３２が本体１２から容易に分離できる図２および３に例示された係止されない正面位置との間で移動可能である。
【００２５】
本発明の好ましい実施態様によると、係止要素３２は、例えば、鋳造によって単一の部品に生成されたカバー３２の一部分である。したがって、カバー３２は、本体１２に対する外装材要素１８の固定に関連する。外装材要素１８を取り出すためにカバー３２を取り出すことが十分なので、外装材要素１８の取り付けおよび取り外しは容易にされる。
【００２６】
カバー３２は、本体１２上に外装材要素１８の係止を可能にする要素である。したがって、カバー３２は、本体１２にカバーを係止するための第一の固定手段３８と、外装材要素１８を係止するための第二の固定手段３６とを有する。
【００２７】
本体１２に関して外装材１８の位置づけを可能にするために、外装材要素１８は、本体１２上の取り付けられた位置での位置決め手段４０を有する。
【００２８】
前述の位置決め手段４０は、本体１２の最上面１６から垂直で上方に延在する、低い壁またはリブ４２を含む。横の低い壁４２は、実質的に反転した“Ｕ”字型を形成し、結果として、Ｕの足は本体１２の側面に対して実質的に平行であり、Ｕの基部は本体１２の正面の横の面に対して実質的に平行である。
【００２９】
外装材要素１８が本体１２上の取り付け位置にある場合、外装材要素１８の側壁２０の内面は、低い壁４２の外部の側面に対して接し、したがって、外装材１８の位置を位置決めする。
【００３０】
図３および４で見ることができるように、低い壁４２の正面の縦方向の端部の最上端部は、外側に向かって延在する。突出４４を有する。この突出４４は、外装材要素１８の正面の縦方向の端部から垂直で下方に延在する、外装材要素１８上のレッグ４６と協働する。
【００３１】
レッグ４８は、外装材要素１８の底面５０に成される。前述のレッグ４８は、本体１２と関連して外装材要素１８の縦方向の位置づけを可能にする、相補的な穴５２と協働する。
【００３２】
図１乃至４に描写される本発明の実施態様によると、カバー４２は、全体的に、縦方向で実質的に位置する上部アーム５４の一方の側に位置するＵ字型形状である。前述の上部アーム５４の後部の縦方向の端部は、外装材要素１８の第二の係止手段３６を受ける。上部アーム５４の正面の縦方向の端部５８は、カバーの底部アーム６０に接続され、この底部アーム６０は開口部２８の閉鎖を可能にし、本体１２上のカバー３２を係止する第一の手段３８を受ける。
【００３３】
第一の固定手段３８は、外装材要素１８およびカバー３２によって受ける相補的な形状で構成される。
【００３４】
図３および４で見ることができるように、外装材要素１８の正面の縦方向の端部は、ショルダー６２を有し、ショルダーの上面は、外装材要素のオーバーラップを得るように、外装材要素１８の上面が位置する、縦方向の平面下に位置する縦方向の平面に位置される。
【００３５】
カバー３２の最上部５４の後部の縦方向の端部５６は、外装材要素上のショルダーに対して相補的であり、結果として、カバー３２の最上部５４の後部の縦方向の端部５６の底面６４は、外装材要素１８のショルダー６２の最上面に対して支える。これら２つの要素６２、６４の協働は、本体１２に関して外装材要素１８の垂直な係止を可能にする。
【００３６】
本体１２に対してカバー３２を固定する第二手段３６は、本体１２に関するカバー３２の摺動ガイダンスと、正面の位置のカバー３２の係止からなる。
【００３７】
カバー３２の摺動ガイダンスは、本体１２の側壁に各々配置した２つの垂直のサイドウィング７０によって得られる。カバー３２が本体１２の取り付けた位置にある場合、ウィング７０は、カバー３２の底部６０の縦方向の部分７２の外部の側面を部分的にカバーする。
【００３８】
ノッチ７４は、カバー３２の底部６０の縦方向の部分７２の最上部の壁７６に提供される。このノッチは、最上面７６から垂直で下方に延在し、本体１２に属するレッグ７８を受ける。このレッグ７８は、垂直で下方に延在し、ノッチ７４に対して相補的である。ノッチ７４およびレッグ７８は、カバー３２が係止された位置にある場合に協働するように有利に位置付けられる。
【００３９】
レッグ７８は、底端部が、縦方向の部分７２の最上面７６が位置される平面下に位置する平面であるように提供される。したがって、カバー３２を摺動させるために、縦方向の部分７２は、カバー３２の摺動中に最上面７６がレッグ７８の底端部と接触するように弾力的に変形可能である。
【００４０】
縦方向の部分７２の弾性は、ユーザによる変形が可能であるように決定され、一方で、外装材要素の望ましくない取り外しを引き起こす、カバー３２または電子装置１０の固有の質量の影響に基づく、例えば、望ましくない変形を防ぐ。
【００４１】
ノッチ７４およびレッグ７８の反転などの機械的な反転を成し、または等価なものを使用するように本発明の範囲を逸脱せずに可能である理由で、上述の記載は限定されない。
【００４２】
バッテリーおよび／またはサブスクリバースマートカードへのアクセスの必要性により、穴２４の多大な部分を明らかに残すために、開口部２８は、ケースの底面の長い部分にわたって延在できることが理解される。
【００４３】
したがって、本発明は、電子装置の外部シェルの別の要素によって電子装置の外装材要素の固定を可能にし、シェルの別の要素に対する固定は外装材要素の変更を容易にする。
【図面の簡単な説明】
【００４４】
【図１】本発明による電子装置の斜視図である。
【図２】本発明による電子装置の各部の関連を示す斜視図である。
【図３】外装材要素とカバーの取り付けを示す、本発明による電子装置の分解図の垂直面による縦方向の断面図である。
【図４】本発明による電子装置の分解図の垂直面による縦方向の断面図である。
【国際公開パンフレット】
2005506764.tif 000003
2005506764.tif 000004
2005506764.tif 000005
2005506764.tif 000006
2005506764.tif 000007
2005506764.tif 000008
2005506764.tif 000009
2005506764.tif 000010
2005506764.tif 000011
2005506764.tif 000012
2005506764.tif 000013
2005506764.tif 000014
2005506764.tif 000015
【国際調査報告】
2005506764.tif 000016
2005506764.tif 000017
2005506764.tif 000018